(57)【要約】  本発明は、携帯及び使用が便利なテスター機を提供して、ユーザーが自分の体液を用いて何時でも短い時間内に直接テストを行い、分析結果を確認することができるようにした、体液分析用検査装置に関する。  本発明に係る体液分析用検査装置は、第１面にユーザーの体液が塗布されるシートを有するシート部と、前記シートに塗布された前記体液の拡大のための拡大レンズ群を備え、前記拡大レンズ群の一側が前記シートの前記第１面に対向するように配置され、前記拡大レンズ群を介して拡大された体液の映像を撮影する撮影手段に密着するガイドが他側に備えられる接境部と、前記シート部を挟んで前記接境部と対向する方向で前記シート部の第２面に向き合うように配置され、外部光を前記シートの第２面に供給する光源部とを含んでなることを特徴とする。
2019508672.tif 000002
【特許請求の範囲】
【請求項１】
第１面にユーザーの体液が塗布されるシートを有するシート部と、
前記シートに塗布された前記体液の拡大のための拡大レンズ群を備え、前記拡大レンズ群の一側が前記シートの前記第１面に向き合うように配置され、前記拡大レンズ群を介して拡大された体液の映像を撮影する撮影手段に密着するか或いはユーザーの眼球周辺に接触するガイドが他側に備えられる接境部と、
前記シート部を挟んで前記接境部と対向する方向で前記シート部の第２面に向き合うように配置され、外部光を前記シートの第２面に供給する光源部とを含んでなることを特徴とする、体液分析用検査装置。
【請求項２】
前記光源部は中空のパイプ状に形成されることを特徴とする、請求項１に記載の体液分析用検査装置。
【請求項３】
前記光源部の光流入口は光の流入のためのボディホールが設けられることを特徴とする、請求項２に記載の体液分析用検査装置。
【請求項４】
前記光源部は、光が流入する光流入口と前記シート部との間に介在する光透過性フィルムを含んでなることを特徴とする、請求項１に記載の体液分析用検査装置。
【請求項５】
前記フィルムは、前記外部光が特定の色を示すように、外部光のうち、予め定められた波長のみを通過させることを特徴とする、請求項４に記載の体液分析用検査装置。
【請求項６】
前記シート部は、前記第１面の側面と前記第２面の側面にそれぞれ装着部が形成され、
前記接境部と前記光源部は、前記シート部を挟んで前記シート部の第１および第２面の側面に形成される装着部にそれぞれ結合されることを特徴とする、請求項１に記載の体液分析用検査装置。
【請求項７】
前記接境部と前記光源部が一体型に形成され、前記接境部と前記光源部との間に前記シート部が挿入及び排出可能に挿嵌されることを特徴とする、請求項１に記載の体液分析用検査装置。
【請求項８】
前記接境部と前記光源部との間には、前記シート部の挿入のためのホールまたはスリットが設けられることを特徴とする、請求項７に記載の体液分析用検査装置
【請求項９】
前記シートが光透過性合成樹脂、天然ゴム及びガラスのいずれかの物質で形成されることを特徴とする、請求項１に記載の体液分析用検査装置。
【請求項１０】
前記シートは、光透過性物質で形成され、特定の色に着色されるか、或いは特定の光波長を透過させる物質で形成されることを特徴とする、請求項１に記載の体液分析用検査装置。
【発明の詳細な説明】
【技術分野】
【０００１】
本発明は、自然光を利用した体液分析用検査装置に係り、特に、携帯及び使用が便利なテスター機を提供して、ユーザーが自分の体液を用いて何時でも短い時間内に直接テストを行い、分析結果を確認することができるようにした、体液分析用検査装置に関する。
【背景技術】
【０００２】
一般に、人々は、自分の健康状態、身体状態を確認するために専門医療機関を訪問しなければならない。しかし、専門医療機関を訪問して検診を受けるためには、忙しい中でも時間を作らなければならず、煩雑な手続きを進めるなどの時間及びコストが大幅にかかる。これにより、大部分の人々は、ほとんどの不便さは甘受して生活し、耐え難いほどの苦痛または不便さが発生してこそ専門医療機関を利用するのが実情である。
【０００３】
このような不便さを解消するために、各種のハイテク装備を利用して身体状況を頻繁に確認し、これをネットワークを介して専門医療機関へ伝達して身体状態をチェックする技術が開発されているが、実際に商品化されて利用される技術は非常に稀である。
【０００４】
むしろ、過去から使われてきた簡単なテスター機の使用は続いており、若い世代においては、便利な使い方、少なくかかるコスト、専門医療機関利用時の不便さの解消可能といった理由から、使用率が増加している。
【０００５】
このようなテスター機は、人々の身体から排出される分泌物、例えば、唾液、尿、汗などを用いて、特定の状況で排出されるホルモンなどの生化学物質を検出するようにするもので、比較的精度が高く、使いやすいという利点がある。主に使われているテスト手段、妊娠診断、糖尿病診断、血糖チェックなどのためのテスター機が挙げられる。
【０００６】
最近、結婚年齢の増加やストレスの増加などにより、不妊及び難妊夫婦が増加しており、これにより妊娠診断テスター機（妊娠検査薬）の使用が大幅に増加している。ところが、このような妊娠診断テスター機は、妊娠かどうかを判別することができるだけであり、不妊及び難妊で苦しんでいるユーザーには役立たない。しかも、これは女性の妊娠だけを確認することができるものであり、女性の妊娠可否や男性の授精能力などは医療機関の診療によってのみ確認される限界がある。
【発明の概要】
【発明が解決しようとする課題】
【０００７】
そこで、本発明の目的は、携帯及び使用が便利なテスター機を提供して、ユーザーが自分の体液を用いて何時でも短い時間内に直接テストを行い、分析結果を確認することができるようにした、体液分析用検査装置を提供することにある。
【０００８】
また、本発明の他の目的は、女性及び男性の両方に使用できるようにして、女性は自分の排卵期を確認して妊娠可能性の高い時期を確認することができるようにし、男性は自分の精子の状態を確認することができるようにすることにより、妊娠の可能性を高めるようにした、体液分析用検査装置を提供することにある。
【課題を解決するための手段】
【０００９】
上記の目的を達成するために、本発明に係る体液分析用検査装置は、第１面にユーザーの体液が塗布されるシートを有するシート部と、前記シートに塗布された前記体液の拡大のための拡大レンズ群を備え、前記拡大レンズ群の一側が前記シートの前記第１面に向き合うように配置され、前記拡大レンズ群を介して拡大された体液の映像を撮影する撮影手段に密着するガイドが他側に備えられる接境部と、前記シート部を挟んで前記接境部と対向する方向で前記シート部の第２面に向き合うように配置され、外部光を前記シートの第２面に供給する光源部とを含んでなることを特徴とする。
【００１０】
前記光源部は中空のパイプ状に形成されることを特徴とする。
【００１１】
前記光源部の光流入口は光の流入のためのボディホールが設けられることを特徴とする。
【００１２】
前記光源部は、光が流入する光流入口と前記シート部との間に介在する光透過性フィルムを含んでなることを特徴とする。
【００１３】
前記フィルムは、前記外部光が特定の色を示すように、外部光のうち、予め定められた波長のみを通過させることを特徴とする。
【００１４】
前記シート部は、前記第１面の側面と前記第２面の側面にそれぞれ装着部が形成され、前記接境部と前記光源部は、前記シート部を挟んで前記シート部の第１および第２面の側面に形成される装着部にそれぞれ結合されることを特徴とする。
【００１５】
前記接境部と前記光源部が一体型に形成され、前記接境部と前記光源部との間に前記シート部が挿入及び排出可能に挿嵌されることを特徴とする。
【００１６】
前記接境部と前記光源部との間には、前記シート部の挿入のためのホールまたはスリットが設けられることを特徴とする。
【００１７】
前記シートは、光透過性合成樹脂、天然ゴム及びガラスのいずれかの物質で形成されることを特徴とする。前記シートは、光透過性物質で形成されるが、特定の色に着色されるか、或いは特定の光波長を透過させる物質で形成されることを特徴とする。
【発明の効果】
【００１８】
本発明に係る体液分析用検査装置は、携帯及び使用が便利なテスター機を提供して、ユーザーが自分の体液を用いて何時でも短い時間内に直接テストを行い、分析結果を確認することができるようにすることが可能である。
【００１９】
また、本発明に係る体液分析用検査装置は、女性及び男性の両方に使用できるようにして、女性は自分が排卵期を確認して妊娠可能性の高い時期を確認することができるようにし、男性は自分の精子の状態を確認することができるようにすることにより、妊娠の可能性を高めるうえ、診断の要否を確認することができるようにすることが可能である。
【図面の簡単な説明】
【００２０】
【図１】本発明の第１実施形態に係る体液分析用検査装置の分解斜視図である。
【図２】図１のベースの他面を示す斜視図である。
【図３】結合される体液分析用検査装置の断面形状を示す断面例示図である。
【図４】本発明の第２実施形態に係る体液分析用検査装置の断面形状を示す断面例示図である。
【図５】図４のシートをより詳細に示す斜視例示図である。
【図６】本発明の検査装置を用いた例を説明するための例示図である。
【図７】パターン分析のための体液の変化を説明するための例示図である。
【図８】実際の体液を用いたテスト映像を示す例示図である。
【図９】テスト映像の分析のために使用される区画パターンの例を示す例示図である。
【図１０】体液が精液である場合の例を示す例示図である。
【発明を実施するための形態】
【００２１】
以下、本発明の好適な実施形態を、添付図面を参照して、当該分野における通常の知識を有する者が容易に実施し得るように説明する。添付図面において構成に表記された図面番号は、他の図面においても同じ構成を表記する際に、できる限り同一の図面番号を使用していることに留意すべきである。また、本発明を説明するにあたり、関連した公知の機能または公知の構成についての具体的な説明が本発明の要旨を無駄に曖昧にするおそれがあると判断される場合には、その詳細な説明を省略する。そして、図面に示されたいくつかの特徴は、説明の容易さのために拡大または縮小または単純化されたものであり、図面およびそれらの構成要素が必ずしも適切な割合で示されてはいない。しかし、当業者であれば、これらの詳細を容易に理解するであろう。
【００２２】
図１乃至図３は本発明の第１実施形態に係る体液分析用検査装置を説明するための例示図であって、図１は本発明の第１実施形態に係る体液分析用検査装置の分解斜視図、図２は図１のベースの他面を示す斜視図、図３は結合される体液分析用検査装置の断面形状を示す断面例示図である。
【００２３】
図１乃至図３を参照すると、本発明に係る体液分析用検査装置は、第１面にユーザーの体液が塗布されるシートを有するシート部２０と、シート部２０のシート２７に塗布された体液の拡大のための拡大レンズ群を備え、拡大レンズ群の一側がシート２７の第１面２５に向き合うように配置され、拡大レンズ群を介して拡大された体液の映像を撮影する撮影手段に密着するガイド３４が他側に備えられる接境部３０と、シート部２０を挟んで接境部３０と対向する方向でシート部２０の第１面に向き合うように配置され、第１面に外部光を伝達する光源部１０とを含んで構成される。
【００２４】
光源部１０は、外部光をシート部２０に伝達して、シート部２０に塗布された体液の映像が撮影できるようにする光源の役割を果たす。この光源部１０は、シート部２０の第２面であるシート２７の下面に光が伝達できるように、光源部１０のボディ１１は空中の円筒状に形成される。この光源部１０の一端は、シート部２０のシートの第２面２１の側面に形成される装着部２２に嵌合されてシート部２０と結合される。光源部の他面には図１に示すようにボディホール１２が設けられる。このボディホール１２は、外部光の散乱回折を利用して、シート部２０に塗布された体液の映像が鮮明になるようにするもので、必ずしも設けられるべきものではない。ボディホール１２の形状、個数及び位置は変更が可能である。
【００２５】
特に、光源部１０には、図３に示すように、ボディホール１２とシート部２０との間に介在するフィルム１３が備えられてもよい。すなわち、シート部２０を基準に光が流入する方向にフィルム１３が備えられてもよい。このフィルム１３は、透過性薄膜、透過性プレート、ガラスなどの様々な材質の物質を用いて様々な厚さに形成できる。本発明はこのようなフィルム１３の材質にのみ限定されるものではない。下記の「フィルム」は、前述した材質または形状の部材を含む用語として使用することもある。このフィルム１３の役割は、白色光に近い自然光を特定の色に変更する役割を果たす。すなわち、このフィルム１３は、白色光の特定の波長をフィルタリングして、予め定められた波長の光のみ伝達されるようにフィルタリングするための手段であるか、或いは特定の色に着色されて白色光の着色された色となるようにする役割を果たす。これにより、フィルム１３は、シート部２０に単色光が伝達されるようにすることにより、シート部２０に塗布された体液の結晶がより鮮明に区分されるようにし、画像処理の際に結晶と背景を容易に区分することができるようにする役割を果たす。ここで、シート部２０のシートが上述したフィルム１３と同様の役割を果たすようにするためにフィルム１３と同様の材質、同様の特徴を持つ場合、フィルム１３が省略されて構成されてもよい。
【００２６】
シート部２０は、載物台の役割を果たすもので、シート部２０に備えられるシート２７の一面２５にユーザーの体液が塗布される。このシート部２０は、体液の塗布されるシート２７と、シート２７を固定し、外部光を遮断し、接境部３０及び光源部１０にシート部２０が結合できるようにするベース２３とを含んで構成される。具体的には、シート２７は、円板状のガラスまたは合成樹脂などの光透過性物質で形成される。このシート２７の外周を包み込むパイプ状にベース２３が形成される。ベース２３の外周縁には装着部２２、２６が形成される。この装着部２２、２６は、シート２７の第１面２１の側面と第２面２５の側面にそれぞれ形成され、第１面２１の側面に形成される第１装着部２２には光源部１０が結合され、第２面２５の側面に形成される第２装着部２６には接境部３０が結合される。そして、第２面２５に形成されるベース２３は、第２面２５よりも突出してシートガード２４が形成できる。このシートガード２４は、体液がシート２７に塗布される際に、溢れたり接境部３０の内壁に体液がくっ付いたりすることを防止し、体液の塗布量を決定する役割を果たす。
【００２７】
シート２７は、前述したように、光透過性物質で形成され、体液を塗布して観察するための載物台の役割を果たす。ユーザーがシート２７に体液を塗布して乾燥させるか或いは液体状態の体液を観察することができるようにするもので、必要に応じてカバーが構成されてもよいが、本発明の詳細な説明ではカバーが省略されて図示されている。このシート２７は、光透過性物質で形成され、光源部１０によって第１面２１へ伝達される光を第２面２５に透過させ、シート２５に塗布された体液に対して背景光を提供する。このようなシート２７は、外部光を拡散させて均一な光がシート２５の第２面へ伝達されるようにする役割を果たすことができる。このために、アクリル、ポリエチレン樹脂、ポリカーボネート樹脂などの合成樹脂、ソーダライムガラスなどのガラスのような透明材料で形成できるが、提示されたところによってのみ本発明を限定するのではない。
【００２８】
一方、シート２７は、前述したフィルム１３のように着色されるか、或いは特定の波長の光のみを通過させるようにすることができる。これについては、フィルム１３の説明過程で詳細に説明したので、別途の説明は省略する。シート２７とベース２３は同一の物質で一体型に形成できるが、この場合、ベース２３を介して外部光が入射して散乱光を形成することにより、体液の観察の妨げになるおそれがあるが、この場合、ベース２３の外周縁を着色して、このような問題を解決することが可能である。
【００２９】
接境部３０は、シート部２０と検査端末とを接続して、検査端末（図示せず）がシート部２０に塗布された体液の映像を撮影することができるようにする役割を果たす。このため、接境部３０は、対物部３１がシート２７の第２面２５と向き合うようにシート部２０に結合される。この接境部３０も、中空のパイプ状に形成され、内部にはシート部２０の映像を拡大して提供することができるように拡大レンズ群３５が構成される。特に、接境部３０の載物ボディ３２の長さを調節することにより、拡大レンズ群３５の位置を変更して倍率及び焦点が調節されるようにし、これにより、異なる倍率の検査端末が結合される場合、またはユーザーの肉眼によって体液の映像を確認する場合、焦点及び倍率が調節されるようにすることができる。
【００３０】
一方、接境部３０の他端にはガイド３４が形成される。このガイド３４は、拡大レンズ群３５が検査端末と直接接触しないようにするとともに、検査端末と拡大レンズ群３５とが一定の距離を保つようにして、正確な倍率調節が行われるようにする役割を果たす。また、このガイド３４は、外部光による光漏れを防止して、正確な体液映像を検査端末またはユーザーが取得し得るようにする役割を果たす。
【００３１】
図４は本発明の第２実施形態に係る体液分析用検査装置の断面形状を示す断面例示図であり、図５は図４のシートをより詳細に示す斜視例示図である。
【００３２】
本発明の第２実施形態を説明するにあたり、前述した第１実施形態と同一または類似の特徴については詳細な説明を省略し、相違点を中心に説明を進めることにする。
【００３３】
図４及び図５を参照すると、本発明の第２実施形態に係る体液分析用検査装置は、図示の如く、光源部１１０と接境部１３０とが一体型に形成され、シート部１２０が光源部１１０と接境部１３０との間のスリット１１５を介して挿入または排出される構造で構成される。
【００３４】
本発明の第２実施形態において、光源部１１０部と接境部１３０は、直接結合されて構成されること、及びスリット１１５が形成されることを除いては、前述した第１実施形態の特徴と同様なので、これについての詳細な説明を省略する。
【００３５】
スリット１１５は、光源部１１０と接境部１３０との間に形成され、シート部１３０の厚さに対応する大きさを有する。また、スリット１１５が形成されたボディ部１１１には、スリット１１５を介して挿入されたシート部１２０を固定及び支持し且つシート部１２０の挿入を案内するためのレールガイド１１５が形成できる。このレールガイド１１５は、シート部１２０に光が伝達されることを阻害しない形態で形成でき、シート部１３０の挿入及び排出を容易にすることができる構造であればいずれの構造でも構わない。一方、スリット１１５がボディ１１１の一側に一つだけ形成されているものとなっているが、固定をより強固にし且つ正確な位置にシート部１２０が挿入されるように、他面に１つのスリット１１５がさらに形成されてもよい。すなわち、シート部１２０が一対のスリット１１５を介してボディ１１１を貫通して挿入されるようにすることができるが、本発明はこれに限定されるものではない。
【００３６】
一方、シート部１２０は、図示の如く、プレート状に形成されてスリット１１５を介して挿入されることにより、検査装置に結合されるようにすることができる。このようなシート部１２０は、ベース１２３とシート１２７とが一体型に形成でき、ベース１２３が着色されて外部光の流入を遮断するようにすることができる。また、シート１２７は、図示の如く凹状に形成され、ユーザーの体液が凹部に込められるようにすることができる。
【００３７】
図６は本発明の検査装置を用いた例を説明するための例示図である。図６を参照すると、本発明の体液分析用検査装置は、図示の如く、検査端末２００を含んで構成できる。検査端末２００に前記検査装置１、１００が結合されて使用できる。
【００３８】
本発明の検査装置１、１００のユーザーが接境部３０、１３０のガイド３４、１３４に直接目を接触して体液の映像を確認し、これから自分の状態を認知するようにすることもでき、下記の如く検査端末２００を介して状態を分析することもできる。
【００３９】
検査端末２００は、スマートフォン、スマートパッド、ノートパソコンなどのモバイル端末、或いは撮影機能及び撮影された映像を出力、伝達または分析することが可能なコンピュータ端末であれば、いずれの端末でも利用が可能である。図６ではスマートフォンやスマートパッドのような形態の端末が例として提示されているが、本発明はこれに限定されるものではない。
【００４０】
このような検査端末２００と検査装置１、１００との結合は、図６に示すように、結合手段１４０を用いて行われ得る。一例として、図６にはクリップ型の結合手段１４０が示されている。
【００４１】
結合手段１４０は、検査装置１、１００と検査端末２００とを結合させ、特に、接境部３０、１３０が検査端末１４０のカメラ２１０に合致するように結合させる。このため、クリップ型、バンド型、吸着型のように様々な方法で検査端末１４０と検査装置１、１００とを結合させることができる。一例として、クリップ型の結合手段１４０は、複数の折曲部１４１を有するように形成され、折曲部１４１により加わる弾性によって検査装置１、１００が検査端末１４０に結合されるようにすることができる。このような結合手段１４０は、機械的強度及び弾性力に優れた金属、合成樹脂、木材を用いて構成できるが、本発明はこれに限定されるものではない。
【００４２】
図７乃至図９は本発明に係るパターン分析方法を説明するための例示図であって、図７はパターン分析のための体液の変化を説明するための例示図、図８は実際の体液を用いたテスト映像を示す例示図である。また、図９はテスト映像の分析のために使用される区画パターンの例を示す例示図である。
【００４３】
図７乃至図９を参照すると、体液、特に唾液の場合、様々な症状に対する指標として使用できる。このうち、妊娠可能期の女性の唾液は、特別な兆候をはっきりと示す。具体的には、女性の唾液に含まれている女性ホルモンであるエストロゲンの影響から正確な排卵を予測することができ、これにより、不妊で苦しんでいる夫婦の妊娠可能性を高めることができる。
【００４４】
具体的には、妊娠可能期の女性の場合、排卵日が近づくと、エストロゲン（ｅｓｔｒｏｇｅｎ）の分泌量が増加し、これにより唾液の塩分濃度が一緒に増加する。よって、唾液を一定時間乾燥させる場合、不妊期、過渡期、妊娠可能期によってそれぞれ異なる唾液結晶構造を示す。
【００４５】
一例として、不任期、すなわち、排卵が行われない女性の唾液を乾燥させて撮影する場合、図７の（ａ）に示すように、はっきりとした結晶構造を見つけることができない形態の映像を得ることができる。
【００４６】
これを実際撮影したイメージが図８の（ａ）に示されている。図７の（ａ）及び図８の（ａ）に示すように、不任期には、特別な結晶構造を見つけることができず、一部の唾液細胞のみを確認することができる。
【００４７】
過渡期、すなわち、不任期から排卵の行われる妊娠可能期に移る過程での女性の唾液は、図７の（ｂ）のような形態で若干の結晶化がなされる。このときの結晶形態は、電解質、粘液、酵素などによって形成される円形、長方形の唾液細胞（ｓａｌｉｖａｒｙ  ｃｅｌｌｓ）の形態を持つ。
【００４８】
最後に、妊娠可能期、すなわち排卵の行われる時期になると、図７の（ｃ）に示すように、結晶質が一方向に伸びる形態、すなわち、シダ模様（ｆｅｒｎ  ｐａｔｔｅｒｎｓ）が明確に現れる。図８の（ｂ）は実際の妊娠可能期女性の唾液を撮影した映像である。これら明らかなように、図８の（ａ）とは明確に区分されるパターンを確認することができる。
【００４９】
本発明の体液状態判別システムは、このような唾液の状態を分析して、ユーザーの妊娠可能期かどうかを確認し、確認された情報を分析情報として作成してユーザーに提供する。
【００５０】
つまり、検査端末１、１００が撮影されたテスト映像をイメージ処理して結晶線を明確にし、結晶線が閉曲線形状をなすか、それとも（ｃ）のようにシダ模様の直線形を示すかを確認する。特に、直線形パターンの長さ密度を確認する。これにより、不妊期、過渡期及び妊娠可能期を判断してユーザーに分析情報として提供する。ここで、イメージ処理および不妊期、過渡期、妊娠可能期の判別はパターンの密度、形状に応じて調節が可能なので、本発明ではこれについての詳細な説明を省略する。
【００５１】
また、イメージ処理は、映像を白黒に再処理し、白黒処理の明暗を判別して線形判断並びにこれによる長さ及び密度の判断が可能なもので、さまざまな方法が使用できるため、これについての詳細な説明を省略する。
【００５２】
一方、このようなイメージ処理及び判断の精度を高めるために、図９のように区画パターンを用いることができる。すなわち、該当パターンによって定義される領域（閉線の内部領域）にどんなに多くの直線または楕円形の線が存在するかを確認して分析情報を作成することができる。
【００５３】
特に、このような区画パターンは、検査装置１、１００の拡大レンズ群３５、１３５またはベース２０、１２０のシート部２７、１２７に印刷された形態で提供されることも可能であり、検査端末２００によって分析映像の一部分を区画パターンに区分してイメージ処理することも可能である。この提示されたところによってのみ本発明を限定するのではない。
【００５４】
一方、図１０は体液が精液または膣分泌物である場合の例を示す例示図である。
【００５５】
このような分析情報の作成は男性の精液に対しても可能である。男性の精液を、本発明の状態鑑別システムを利用して判別する場合、精子の数、精子の活動度、精子の奇形有無などの事項を確認することができ、特に、精子の状態を好転させた後に妊娠を試みることができるようにすることが可能である。
【００５６】
このような精液の分析においても、区画パターンが使用できる。これは、図１０の（ａ）及び（ｂ）に示されている。（ａ）と（ｂ）の中央に形成された格子状のパターン内に位置する精子の数、活動度、形態を判別することにより、容易に精子特性を分析することができる。さらに具体的には、撮影された映像の全般に分布する精子を検査端末５０または医療機関システム（図示せず）が全て分析せずに、区画パターンによって区画される領域内にある精子を対象にサンプリング分析を行うことができる。これにより、本発明は、分析を迅速に行うことができ、検査端末５０のパターン処理負荷を軽減させることが可能であり、さらに詳しく分析を行うことができる。
【００５７】
このような区画パターンは、図９及び図１０には格子状に構成された例が示されているが、楕円、円形などの様々な形状に形成でき、画面の中央だけでなく、任意の位置を指定することもできる。また、イメージを確認して密度の高いところに区画パターンを適用して分析することができる。この提示されたところによって本発明を限定するのではない。
【００５８】
本発明の検査端末５０で精子特性を分析することは、前述した唾液分析と同様の方法で行われる。まず、検査端末５０がシート部２０、１２０に塗布された精液を撮影してテスト映像を確保する。そして、検査端末５０は、テスト映像から一定領域内の確認される精子の数、特定の精子の移動距離、移動距離の平均値、回転如何、回転速度、回転半径を算出する。このとき、検査端末５０は、テスト映像を多数枚撮影して使用するか、或いは動画として撮影してこれを確認することができる。このとき、映像中の特定の精子をランダムに選択し、選択された精子の精子特性を判断することにより、精子の状態を確認することができる。また、このようなサンプリング精子を複数選択することにより、精子特性分析の精度を高めることが可能である。
【００５９】
また、検査端末５０は、テスト映像の中から一部の精子を選択し、選択された精子の映像を鮮明なパターンまたは白黒映像にイメージ処理した後、予め保存されたイメージ、または予め定められた条件に符合する形態を持つかを比較して、精子の奇形か否かを判別することも可能である。例えば、先体（丸い部分）一つ当たり尾部（尻状）の個数、尾部の屈曲如何、先体の奇形性を判別して、テスト映像中の精子が正常な形態を持つかを確認することができる。
【００６０】
特に、このような過程で精子の選択及びサンプリングを容易にするために、図１０に示すように区画パターンを適用し、テスト映像中の精子のうち、区画パターンによって限定される領域に位置する精子を対象に、精子特性を分析することができる。これにより、本発明のサンプリング精子の選択を容易にし、分析情報の一貫性を維持することができ、分析に基づく検査端末５０の負荷負担を軽減させて迅速な分析が行われるようにすることが可能となる。
【００６１】
また、（ｃ）のように膣分泌物を観察して細菌性膣症、膣炎などの病症の有無及び診察の要否を判断することができる。具体的には、膣分泌物を検査装置を用いて観察する際に、正常な場合には膣粘膜細胞のみが観察されるが、図１０の（ｃ）のように細菌感染による疾病が発生した場合には（ｃ）における黒いドットのような物質を確認することができる。（ｃ）の場合は、膣内における抗菌物質の分泌が減少することにより、膣内の酸度が増加し、嫌気性細菌が過増殖した場合を示すものである。過増殖した嫌気性細菌が膣粘膜細胞の表面に吸着されて膣粘膜細胞が黒いドットで覆われた様子を示し、検査装置によってこのような症状を確認することが可能となる。その結果、本発明によっては唾液、膣分泌物、男性の精液などの身体分泌物を拡大撮影し、これを映像分析及び肉眼分析することにより、疾病の有無、疾病名、排卵期などのさまざまな状態を判別することが可能となる。
【００６２】
以上で、本発明の技術的思想を例示するために、具体的な実施形態で図示及び説明したが、本発明は、上述のように、具体的な実施形態と同様の構成及び作用にのみ局限されず、様々な変形が本発明の範囲から逸脱しない範疇内で実施され得る。したがって、それらの変形も本発明の範囲に属するものとみなすべきであり、本発明の範囲は後述する特許請求の範囲によって定められるべきである。
【産業上の利用可能性】
【００６３】
本発明は、女性及び男性の両方に使用できるようにして、女性は自分が排卵期を確認して妊娠可能性の高い時期を確認することができるようにし、男性は自分の精子の状態を確認することができるようにすることにより、妊娠補助器具として利用可能である。
【図１】
2019508672.tif 000003
【図２】
2019508672.tif 000004
【図３】
2019508672.tif 000005
【図４】
2019508672.tif 000006
【図５】
2019508672.tif 000007
【図６】
2019508672.tif 000008
【図７】
2019508672.tif 000009
【図８（ａ）】
2019508672.tif 000010
【図８（ｂ）】
2019508672.tif 000011
【図９】
2019508672.tif 000012
【図１０】
2019508672.tif 000013
【国際調査報告】
2019508672.tif 000014
2019508672.tif 000015
2019508672.tif 000016
2019508672.tif 000017